【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
入力映像信号のうちの指定された計測領域について、単位フレーム期間内に、設定されたしきい値未満の信号レベルか否かを画素ごとに計測する計測手段と、
前記計測手段の計測結果に基づいて、前記入力映像信号に含まれる黒帯領域を検出する黒帯検出手段と
を備えた映像信号処理装置。
【請求項２】
前記しきい値を設定するしきい値設定手段を備えた
請求項１に記載の映像信号処理装置。
【請求項３】
前記黒帯検出手段は、前記計測領域の端辺から連続して存在するしきい値未満の画素の画素数を検出すると共に、この検出処理を前記計測領域の端辺に沿って行い、検出された画素数のうちの最小値をもって黒帯領域の幅と判定する
請求項１に記載の映像信号処理装置。
【請求項４】
計測の基準となる基準領域を設定する基準領域設定手段と、
計測区間を増減する際の増減幅を設定する増減幅設定手段と、
前記基準領域と前記増減幅とに基づいて前記計測領域を設定する計測領域設定手段とを備えた
請求項１に記載の映像信号処理装置。
【請求項５】
前記増減幅設定手段は、前回の増減幅の２分の１を新たな増減幅として設定し直し、
前記計測領域設定手段は、前記黒帯検出手段によって黒帯領域と映像領域との境界が検出されたか否かに応じて、選択的に前回の計測領域に対して前記新たな増減幅の加減算を行うことにより、新たな計測領域を設定し直し、
前記計測手段は、新たな計測領域について計測を行う
請求項４に記載の映像信号処理装置。
【請求項６】
前記計測手段は、前記計測領域における水平方向および垂直方向の２方向について並行して計測を行う
請求項４に記載の映像信号処理装置。
【請求項７】
前記計測領域設定手段は、計測領域における水平方向の両端位置および垂直方向の上端位置として、前記基準領域における水平方向の両端位置および垂直方向の上端位置を設定する一方、その計測領域における下端位置の初期値として、前記基準領域における上端位置に前記増減幅の初期値を加算した位置を設定すると共に、計測領域における下端位置に対して前記増減幅の加減算を逐次行うことによって新たな計測領域を設定し直し、
前記黒帯検出手段は、前記計測領域設定手段により設定された計測領域についての計測結果に基づいて、前記入力映像信号に含まれる上側の黒帯領域を検出する
請求項６に記載の映像信号処理装置。
【請求項８】
前記計測領域設定手段は、計測領域における水平方向の両端位置および垂直方向の下端位置として、前記基準領域における水平方向の両端位置および垂直方向の下端位置を設定する一方、その計測領域における上端位置の初期値として、前記基準領域における下端位置から前記増減幅の初期値を減算した位置を設定すると共に、計測領域における上端位置に対して前記増減幅の加減算を逐次行うことによって新たな計測領域を設定し直し、
前記黒帯検出手段は、前記計測領域設定手段により設定された計測領域についての計測結果に基づいて、前記入力映像信号に含まれる下側の黒帯領域を検出する
請求項６に記載の映像信号処理装置。
【請求項９】
前記計測領域設定手段は、計測領域における垂直方向の両端位置および水平方向の左端位置として、前記基準領域における垂直方向の両端位置および水平方向の左端位置を設定する一方、その計測領域における右端位置の初期値として、前記基準領域における左端位置に前記増減幅の初期値を加算した位置を設定すると共に、計測領域における右端位置に対して前記増減幅の加減算を逐次行うことによって新たな計測領域を設定し直し、
前記黒帯検出手段は、前記計測領域設定手段により設定された計測領域についての計測結果に基づいて、前記入力映像信号に含まれる左側の黒帯領域を検出する
請求項６に記載の映像信号処理装置。
【請求項１０】
前記計測領域設定手段は、計測領域における垂直方向の両端位置および水平方向の右端位置として、前記基準領域における垂直方向の両端位置および水平方向の右端位置を設定する一方、その計測領域における左端位置の初期値として、前記基準領域における右端位置から前記増減幅の初期値を減算した位置を設定すると共に、計測領域における左端位置に対して前記増減幅の加減算を逐次行うことによって新たな計測領域を設定し直し、
前記黒帯検出手段は、前記計測領域設定手段により設定された計測領域についての計測結果に基づいて、前記入力映像信号に含まれる右側の黒帯領域を検出する
請求項６に記載の映像信号処理装置。
【請求項１１】
前記黒帯検出手段の検出結果に基づいて前記入力映像信号の補正領域を設定すると共に、この設定された補正領域内の入力映像信号に対して所定の画像処理を行う画像処理手段を備えた
請求項１に記載の映像信号処理装置。
【請求項１２】
入力映像信号のうちの指定された計測領域について、設定されたしきい値未満の信号レベルか否かを画素ごとに計測する計測手段と、
計測の基準となる基準領域を設定する基準領域設定手段と、
計測区間を増減する際の増減幅を設定する増減幅設定手段と、
前記基準領域と前記増減幅とに基づいて前記計測領域を設定する計測領域設定手段と、
前記計測手段の計測結果に基づいて、前記入力映像信号に含まれる黒帯領域を検出する黒帯検出手段と
を備え、
前記増減幅設定手段は、前回の増減幅の２分の１を新たな増減幅として設定し直し、
前記計測領域設定手段は、前記黒帯検出手段によって黒帯領域と映像領域との境界が検出されたか否かに応じて、選択的に前回の計測領域に対して前記新たな増減幅の加減算を行うことにより、新たな計測領域を設定し直し、
前記計測手段は、新たな計測領域について計測を行う
映像信号処理装置。
【請求項１３】
前記黒帯検出手段は、前記計測領域の端辺から連続して存在するしきい値未満の画素の画素数を検出すると共に、この検出処理を前記計測領域の端辺に沿って行い、検出された画素数のうちの最小値をもって黒帯領域の幅と判定する
請求項１２に記載の映像信号処理装置。
【請求項１４】
前記計測手段は、前記計測領域における水平方向および垂直方向の２方向について並行して計測を行う
請求項１２に記載の映像信号処理装置。
【請求項１５】
前記黒帯検出手段の検出結果に基づいて前記入力映像信号の補正領域を設定すると共に、この設定された補正領域内の入力映像信号に対して所定の画像処理を行う画像処理手段を備えた
請求項１２に記載の映像信号処理装置。
【請求項１６】
入力映像信号のうちの指定された計測領域について、単位フレーム期間内に、設定されたしきい値未満の信号レベルか否かを画素ごとに計測する計測手段と、
前記計測手段の計測結果に基づいて、前記入力映像信号に含まれる黒帯領域を検出する黒帯検出手段と、
前記黒帯検出手段の検出結果を基に映像表示を行う表示手段と
を備えた映像表示装置。
【請求項１７】
計測の基準となる基準領域を設定する基準領域設定手段と、
計測区間を増減する際の増減幅を設定する増減幅設定手段と、
前記基準領域と前記増減幅とに基づいて前記計測領域を設定する計測領域設定手段とを備え、
前記増減幅設定手段は、前回の増減幅の２分の１を新たな増減幅として設定し直し、
前記計測領域設定手段は、前記黒帯検出手段によって黒帯領域と映像領域との境界が検出されたか否かに応じて、選択的に前回の計測領域に対して前記新たな増減幅の加減算を行うことにより、新たな計測領域を設定し直し、
前記計測手段は、新たな計測領域について計測を行う
請求項１６に記載の映像表示装置。
【請求項１８】
前記黒帯検出手段の検出結果に基づいて前記入力映像信号の補正領域を設定すると共に、この設定された補正領域内の入力映像信号に対して所定の画像処理を行う画像処理手段を備え、
前記表示手段は、前記画像処理後の入力映像信号に基づいて映像表示を行う
請求項１６に記載の映像表示装置。
【請求項１９】
入力映像信号のうちの指定された計測領域について、設定されたしきい値未満の信号レベルか否かを画素ごとに計測する計測手段と、
計測の基準となる基準領域を設定する基準領域設定手段と、
計測区間を増減する際の増減幅を設定する増減幅設定手段と、
前記基準領域と前記増減幅とに基づいて前記計測領域を設定する計測領域設定手段と、
前記計測手段の計測結果に基づいて、前記入力映像信号に含まれる黒帯領域を検出する黒帯検出手段と、
前記黒帯検出手段の検出結果を基に映像表示を行う表示手段と
を備え、
前記増減幅設定手段は、前回の増減幅の２分の１を新たな増減幅として設定し直し、
前記計測領域設定手段は、前記黒帯検出手段によって黒帯領域と映像領域との境界が検出されたか否かに応じて、選択的に前回の計測領域に対して前記新たな増減幅の加減算を行うことにより、新たな計測領域を設定し直し、
前記計測手段は、新たな計測領域について計測を行う
映像表示装置。
【請求項２０】
前記黒帯検出手段の検出結果に基づいて前記入力映像信号の補正領域を設定すると共に、この設定された補正領域内の入力映像信号に対して所定の画像処理を行う画像処理手段を備え、
前記表示手段は、前記画像処理後の入力映像信号に基づいて映像表示を行う
請求項１９に記載の映像表示装置。
【手続補正２】
【補正対象書類名】明細書
【補正対象項目名】発明の名称
【補正方法】変更
【補正の内容】
【発明の名称】映像信号処理装置および映像表示装置
【手続補正３】
【補正対象書類名】明細書
【補正対象項目名】０００１
【補正方法】変更
【補正の内容】
【０００１】
本発明は、映像信号に含まれる黒帯領域の検出機能を有する映像信号処理装置および映像表示装置に関する。
【手続補正４】
【補正対象書類名】明細書
【補正対象項目名】０００７
【補正方法】変更
【補正の内容】
【０００７】
本発明はかかる問題点に鑑みてなされたもので、その目的は、入力映像信号に含まれる黒帯領域をより短時間に検出することが可能な映像信号処理装置および映像表示装置を提供することにある。
【手続補正５】
【補正対象書類名】明細書
【補正対象項目名】０００９
【補正方法】変更
【補正の内容】
【０００９】
この場合において、上記黒帯検出手段を、計測領域の端辺から連続して存在するしきい値未満の画素の画素数を検出すると共にこの検出処理を計測領域の端辺に沿って行い、検出された画素数のうちの最小値をもって黒帯領域の幅と判定するように構成可能である。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明の第１の映像信号処理装置および第１の映像表示装置では、入力映像信号のうちの計測領域について、画素ごとのしきい値未満の信号レベルか否かの計測が単位フレーム期間内になされ、この計測結果に基づいて入力映像信号に含まれる黒帯領域が検出される。
【手続補正８】
【補正対象書類名】明細書
【補正対象項目名】００１４
【補正方法】変更
【補正の内容】
【００１４】
また、本発明の第２の映像信号処理装置は、入力映像信号のうちの指定された計測領域について、設定されたしきい値未満の信号レベルか否かを画素ごとに計測する計測手段と、この計測の基準となる基準領域を設定する基準領域設定手段と、計測区間を増減する際の増減幅を設定する増減幅設定手段と、上記基準領域と増減幅とに基づいて計測領域を設定する計測領域設定手段と、上記計測手段の計測結果に基づいて入力映像信号に含まれる黒帯領域を検出する黒帯検出手段とを備え、上記増減幅設定手段が前回の増減幅の２分の１を新たな増減幅として設定し直し、上記計測領域設定手段が、黒帯検出手段によって黒帯領域と映像領域との境界が検出されたか否かに応じて、選択的に前回の計測領域に対して上記新たな増減幅の加減算を行うことにより新たな計測領域を設定し直し、上記計測手段が新たな計測領域について計測を行うようにしたものである。
【手続補正９】
【補正対象書類名】明細書
【補正対象項目名】００１５
【補正方法】変更
【補正の内容】
【００１５】
本発明の第２の映像表示装置は、上記第２の映像信号処理装置における上記の各手段に加え、この黒帯検出手段の検出結果を基に映像表示を行う表示手段を備えたものである。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
本発明の第２の映像信号処理装置および第２の映像表示装置では、入力映像信号のうちの計測領域について、画素ごとにしきい値未満の信号レベルか否かの計測がなされ、この計測結果に基づいて入力映像信号に含まれる黒帯領域が検出される。この際、計測の基準となる基準領域およびこの計測区間を増減する際の増減幅が設定され、これら基準領域および増減幅に基づいて上記計測領域が設定される。また、黒帯領域と映像領域との境界が検出されたか否かに応じて、前回の増減幅の２分の１のものが新たな増減幅として選択的に前回の計測領域に加減算され、新たな計測領域が設定される。そして上記計測を行う際には、この新たな計測領域について計測がなされる。
【手続補正１２】
【補正対象書類名】明細書
【補正対象項目名】００１８
【補正方法】変更
【補正の内容】
【００１８】
本発明の第１の映像信号処理装置または第１の映像表示装置によれば、入力映像信号のうちの計測領域について、画素ごとのしきい値未満の信号レベルか否かの計測を単位フレーム期間内に行うようにすると共にこの計測結果に基づいて黒帯領域を検出するようにしたので、従来と比べ、入力映像信号に含まれる黒帯領域をより短時間に検出することが可能となる。
【手続補正１３】
【補正対象書類名】明細書
【補正対象項目名】００１９
【補正方法】変更
【補正の内容】
【００１９】
また、本発明の第２の映像信号処理装置または第２の映像表示装置によれば、画素ごとになされるしきい値未満の信号レベルか否かの計測結果から黒帯領域と映像領域との境界を検出すると共に、検出されたか否かに応じて、前回の増減幅の２分の１のものを新たな増減幅として選択的に前回の計測領域に加減算して新たな計測領域を設定し、この新たな計測領域について逐次計測を行うと共にその計測結果に基づいて黒帯領域を検出するようにしたので、従来と比べ、入力映像信号に含まれる黒帯領域をより短時間に検出することが可能となる。
【手続補正１４】
【補正対象書類名】明細書
【補正対象項目名】００３２
【補正方法】変更
【補正の内容】
【００３２】
図３（Ａ），（Ｂ）は、入力映像信号６に黒帯領域が含まれる場合の各領域を模式的に表したものである。図３（Ａ）は、映像領域６２の上下に黒帯領域６１Ａ，６１Ｂが設けられたものであり、例えばシネマスコープサイズの映像信号などが該当する。また、黒帯領域６１Ａ内にはＯＳＤ（On Screen Display）６３Ａが挿入され、黒帯領域６１Ｂ内には字幕６３Ｂが挿入されている。また、これら映像領域６２および黒帯領域６１Ａ，６１Ｂの周囲には、ブランキング領域６０が設けられている。一方、図３（Ｂ）は、映像領域６６の左右に黒帯領域６５Ａ，６５Ｂが設けられたものであり、例えばサイドパネルの映像信号などが該当する。また、これら映像領域６６および黒帯領域６５Ａ，６５Ｂの周囲にも、ブランキング領域６０が設けられている。なお、ＯＳＤや字幕は黒帯領域に挿入されている場合と挿入されていない場合があり、挿入されている場合においても、上下または左右の黒帯領域のどちらか一方または両方に挿入される場合がある。
【手続補正１５】
【補正対象書類名】明細書
【補正対象項目名】００４０
【補正方法】変更
【補正の内容】
【００４０】
再検出回数設定部２３５は、後述する検出判定部２３７において黒帯領域を最終的に特定する際の再検出回数を設定するものである。この再検出回数は、０以上の整数で表される。また、下限値設定部２３６は、信号種別判別部２１による信号種別判別結果Ｓoutに応じて、境界判定部２３４によって判定された黒帯領域の境界から算出された映像領域６２の水平幅または垂直幅の下限値を設定するものである。映像領域６２の垂直幅の場合、例えば図６に示した垂直幅６２Ｖのように表され、これに下限値を設定することにより、暗いシーン等での誤検出（図６では、入力映像信号６中に黒帯領域が存在せず、映像領域６２による暗いシーン等が表されている場合を示している）を防止するようになっている。
【手続補正１６】
【補正対象書類名】明細書
【補正対象項目名】００４５
【補正方法】変更
【補正の内容】
【００４５】
ドライバ４２は、マトリクス回路４１から出力されるＲＧＢ信号（Ｒout，Ｇout，Ｂout）に基づいて表示部５に対する駆動信号を生成し、この駆動信号を表示部５へ出力するものである。
【手続補正１７】
【補正対象書類名】明細書
【補正対象項目名】００５０
【補正方法】変更
【補正の内容】
【００５０】
ここで、黒帯検出部２では、入力映像信号であるＹＵＶ信号（Ｙin，Ｕin，Ｖin）に含まれる黒帯領域が検出される。具体的には、輝度信号Ｙinに基づいて黒帯領域が検出され、検出結果Ｋoutが画像処理部３へ出力される。より具体的には、計測部２２において、入力映像信号のうちの指令された計測領域について、単位フレーム期間内に画素ごとに、輝度信号Ｙinがしきい値Ｖｔ未満の信号レベルか否かが計測され、検出部２３において、計測部２２による水平バックポーチ長Ｈｂｐ、水平フロントポーチ長Ｈｆｐ、垂直バックポーチ長Ｖｂｐおよび垂直フロントポーチ長Ｖｆｐの計測結果、ならびに信号種別判別部２１による信号種別判別結果Ｓoutに基づいて、入力映像信号６に含まれる黒帯領域が検出され、その黒帯検出結果Ｋoutが画像処理部３へ出力される。
【手続補正１８】
【補正対象書類名】明細書
【補正対象項目名】００７２
【補正方法】変更
【補正の内容】
【００７２】
次に、タイミングｔ３４〜ｔ３５の１水平期間内で水平アクティブ信号Ｈ_actが「Ｌ」レベルに固定されていると、水平同期信号Ｈｓｙｎｃの次の立ち上がりエッジであるタイミングｔ３５において、垂直アクティブ信号Ｖ_actが「Ｌ」レベルへ戻る。すると、このタイミングｔ３５以降（タイミングｔ３５，ｔ３６，…）、垂直フロントポーチ用カウンタ出力Ｖfp_cntの値が１ずつ増加していくようになる。
【手続補正１９】
【補正対象書類名】明細書
【補正対象項目名】００８０
【補正方法】変更
【補正の内容】
【００８０】
この黒帯検出処理では、最初に黒帯検出開始処理が行われる（ステップＳ１１）。
【手続補正２０】
【補正対象書類名】明細書
【補正対象項目名】００９０
【補正方法】変更
【補正の内容】
【００９０】
次に、ステップＳ１２６と同様にして、黒帯判定部２３０が、計測結果Ｍoutに基づいて計測領域６４Ｂ内に黒帯領域のみが存在するのか否かを判断する（図１７のステップＳ１２９）。黒帯領域のみではないと判断された場合には（ステップＳ１２９：Ｎ）、ステップＳ１２７と同様にして、前回の計測領域の終了位置から新たな増減幅分だけ減算することにより、新たな計測領域を再設定する（ステップＳ１３０）。一方、黒帯領域のみであると判断された場合には（ステップＳ１２９：Ｙ）、ステップＳ１２８と同様にして、前回の計測領域の終了位置から新たな増減幅分だけ加算することにより、新たな計測領域を再設定する（ステップＳ１３１）。
【手続補正２１】
【補正対象書類名】明細書
【補正対象項目名】００９９
【補正方法】変更
【補正の内容】
【００９９】
下限値未満であると判断された場合（ステップＳ１６２：Ｎ）、映像領域６２が暗いシーン等であるためだと判断し、黒帯領域の誤検出を防ぐため、黒帯領域の検出回数カウンタの値をリセットして０にする（ステップＳ１６３）。そして黒帯検出判定処理が終了となり（「リターン」）、次の図１１におけるステップＳ１８において黒帯検出処理全体を終了する場合（ステップＳ１８：Ｙ）を除き、黒帯検出開始処理（ステップＳ１１）に戻って黒帯検出処理を最初からやり直すこととなる。
【手続補正２２】
【補正対象書類名】明細書
【補正対象項目名】０１００
【補正方法】変更
【補正の内容】
【０１００】
一方、下限値以上であると判断された場合（ステップＳ１６２：Ｙ）、次に検出判定部２３７は、（検出回数カウンタの値＝０）かつ（再検出回数設定部２３５により設定された再検出回数≠０）という条件式を満たすか否かを判断する（ステップＳ１６４）。この条件式を満たすと判断された場合（ステップＳ１６４：Ｙ）、最初の黒帯検出であり前回の検出結果と比較することはできないので、そのまま検出した２つ（上下または左右）の黒帯領域の境界位置と映像領域６２の幅とを保持する（ステップＳ１６５）と共に、検出回数カウンタの値を１増加させることにより、黒帯検出判定処理が終了となり（「リターン」）、次の図１１におけるステップＳ１８において黒帯検出処理全体を終了する場合（ステップＳ１８：Ｙ）を除き、黒帯検出開始処理（ステップＳ１１）に戻って再度黒帯検出処理を行うこととなる。
【手続補正２３】
【補正対象書類名】明細書
【補正対象項目名】０１０２
【補正方法】変更
【補正の内容】
【０１０２】
また、ステップＳ１７０において黒帯検出が確定済みであると判断された場合（ステップＳ１７０：Ｙ）、次に検出判定部２３７は、黒帯領域の幅が変化しているか否かを判断すると共に、変化している場合には２つの黒帯検出領域の幅のうちどちらか一方のみが大きく変化しているかどうかを判断する（ステップＳ１７１）。一方のみが大きく変化している場合（ステップＳ１７１：Ｙ）、映像領域６２が暗いシーン等であるためだと判断し、黒帯領域の誤検出を防ぐため、黒帯領域の検出回数カウンタの値をリセットして０にする（ステップＳ１６３）ことにより、黒帯検出結果Ｋoutを出力せずに黒帯検出判定処理が終了となる（「リターン」）。一方、一方のみが大きく変化しているわけではないと判断された場合（ステップＳ１７１：Ｎ）、ステップＳ１７２へと進み、黒帯検出結果Ｋoutを出力して（ステップＳ１７２）黒帯領域の検出回数カウンタの値を０にする（ステップＳ１６３）ことにより、黒帯検出判定処理が終了となる（「リターン」）。
【手続補正２４】
【補正対象書類名】明細書
【補正対象項目名】０１０５
【補正方法】変更
【補正の内容】
【０１０５】
以上のようにして黒帯検出判定処理が終了すると、ステップＳ１８において黒帯検出処理全体を終了するか否かが判断され、終了しない場合（ステップＳ１８：Ｎ）にはステップＳ１１〜Ｓ１６の処理を繰り返し、終了する場合には（ステップＳ１８：Ｙ）、黒帯検出処理全体が終了する。
【手続補正２５】
【補正対象書類名】明細書
【補正対象項目名】０１１２
【補正方法】変更
【補正の内容】
【０１１２】
さらに、例えば図２５（Ｃ）に示したように、計測領域６４Ｂ内には映像領域６２が存在しないが（黒帯領域６１Ａのみが存在する）、黒帯領域６１Ａ内に字幕６３Ｂが存在する場合には、測定結果による水平バックポーチ長Ｈｂｐおよび水平フロントポーチ長Ｈｆｐが、予め設定された水平バックポーチ長Ｈｂｐ０および水平フロントポーチ長Ｈｆｐ０と比べて大きいため、基本的にはまず映像領域６２が存在しないと判断する。字幕６３Ｂの領域を含めて映像領域が存在すると判断すると、後述するアスペクト比の調整の際に誤った調整がなされてしまうことになるからである。ただし、字幕６３Ｂが欠落しないようにするため、測定結果による水平バックポーチ長Ｈｂｐおよび水平フロントポーチ長Ｈｆｐに加え、測定結果による垂直バックポーチ長Ｖｂｐや垂直フロントポーチ長Ｖｆｐを用いて（図２５（Ｃ）の場合、垂直バックポーチ長Ｖｂｐを用いて）、字幕６３Ｂの位置を求めるようにする。なお、字幕６３Ｂは単位フレームによって表示されたりされなかったりするので、黒帯検出処理によって検出が確定するまでの間で垂直バックポーチ長Ｖｂｐや垂直フロントポーチ長Ｖｆｐが一番小さくなった値を、字幕６３Ｂの位置とするようになっている。
【手続補正２６】
【補正対象書類名】図面
【補正対象項目名】図２
【補正方法】変更
【補正の内容】
【図２】
2007329700.tif 000001
【手続補正２７】
【補正対象書類名】図面
【補正対象項目名】図１６
【補正方法】変更
【補正の内容】
【図１６】
2007329700.tif 000002
【手続補正２８】
【補正対象書類名】図面
【補正対象項目名】図１９
【補正方法】変更
【補正の内容】
【図１９】
2007329700.tif 000003
【手続補正２９】
【補正対象書類名】図面
【補正対象項目名】図２０
【補正方法】変更
【補正の内容】
【図２０】
2007329700.tif 000004